(57)【要約】【課題】直流電源用コンセントの差込プラグ受けは、正極側ならびに負極側の各一対の金属片が等長であって、差込プラグを通電中に引き抜くとアークが発生し人体および電気機器に損傷を生じさせる危険がある。【解決手段】直流電源１４に接続される一対の金属片１６、１７の一方を他方より短くし、この短金属片１６は直流電源に直接接続し、長金属片１７は電気抵抗体２２を介して直流電源１４に接続するように構成した。差込プラグ栓刃１１が引き抜かれ、栓刃１１が短金属片１６から離れたときには、長金属片１７に接触し、低電流が流れるようにしてアーク発生を防止した。【選択図】    図１
2004158331.tif 000002
【特許請求の範囲】
【請求項１】
直流電源の一方に接続される金属片は一対の金属片の一方を他方より短くした短金属片とこれより長い長金属片から構成され、前記短金属片は前記直流電源に直接接続される如くし、前記長金属片は電気抵抗体を介して前記直流電源に接続される如く構成されていることを特徴とする直流電源用コンセント。
【請求項２】
前記短金属片と前記長金属片は絶縁体に接続され電気的に絶縁されていることを特徴とする請求項１記載の直流電源用コンセント。
【発明の詳細な説明】
【０００１】
【発明の属する技術分野】
本発明は、直流電源用コンセントに接続され通電状態にある差込プラグが引き抜かれた際に、直流電流の切断時のアーク発生を防止し、小型かつ確実に切断できる直流電源用コンセントに関する。
【０００２】
【従来の技術】
インフォーメーションテクノロジーなどの進歩によるＯＡ機器や電化製品の増加により、高信頼性電源確保の要求がある。また、大量エネルギー消費抑制のため、直流給電方式が採用されている。ＯＡ機器や電化製品などの電気機器への直流電源は、直流電源用コンセントに接続された差込プラグを介して供給される。図３により代表的なコンセント３１の構成を説明する。すなわち、コンセント３１の差込プラグ受けは、一般に、正極側および負極側とも各々、相対する等長の金属片３２ａ、３２ｂならびに３３ａ、３３ｂで差込プラグ受けを構成し、差し込まれた差込プラグ３４、３５の栓刃を所定の位置で支持固定し直流電源３６によって電気機器３７に通電する構成である。
【０００３】
また、抜け止め付きコンセントの導電栓刃受孔および接地栓刃受孔を小さく形成し、コンセントの内部へのホコリ侵入が少なくなり火災発生の可能性を少なくする技術が知られている。（例えば、特許文献１参照）。他に、誤って電源仕様の異なる電源ユニットを装着しようとしても電気的接続が達成されず、電気製品が作動しないようにした技術も知られている。（例えば、特許文献２参照）。
【０００４】
【特許文献１】
特開２０００−３４０２８６号公報
【特許文献２】
特開平８−５５６５２号公報
【０００５】
【発明が解決しようとする課題】
ＯＡ機器や電化製品などに直流電源用コンセントから差込プラグを通して直流電源供給を行い負荷がかかり直流電流が流れている場合に、故意あるいは不本意に差込プラグを引き抜くかまたは引き抜かれた時は、両極側の相対する差込プラグ受けを構成している金属片と差込プラグ栓刃との接触部分が同時に切り離されるため、直流電源であるが故に、アークの発生の可能性があり、人体および機器に損傷を生じさせる危険があった。また、特許文献１、特許文献２によっても、通電中に差込プラグが引き抜かれると上述したようなアークの発生が起こり、人体および機器に損傷を生じさせる危険があった。
【０００６】
本発明は、直流電源用コンセントに接続され通電状態にある差込プラグが引き抜かれた際に、直流電流の切断時のアーク発生を防止し、小型かつ確実に切断できる直流電源用コンセントを提供することを目的とする。
【０００７】
【課題を解決するための手段】
上記課題を解決するために本発明に係わる直流電源用コンセントは、直流電源の一方に接続される金属片は一対の金属片の一方を他方より短くした短金属片とこれより長い長金属片から構成され、前記短金属片は前記直流電源に直接接続される如くし、前記長金属片は電気抵抗体を介して前記直流電源に接続される如く構成されていることを要旨とする。
【０００８】
さらに本発明に係わる直流電源用コンセントは、前記短金属片と前記長金属片は絶縁体に接続され電気的に絶縁されていることを要旨とする。
【０００９】
【発明の実施の形態】
以下に本発明に係わる実施の形態を図を参照して説明する。図１は差込プラグ栓刃１１、１２がコンセント１３に差し込まれた状態を示す構成図で、図２は差込プラグ栓刃１１、１２がコンセント１３から引き抜かれた状態を示す構成図である。
【００１０】
直流電源１４に接続されているコンセント１３は、直流電源１４の正極端５は互いに対向する一対の金属片に接続されている。この一対の金属片は一方が短金属片１６、他方が長金属片１７にて構成されている。また、この短金属片１６、長金属片１７は絶縁体１８に接続されている。すなわち、短金属片１６と長金属片１７間は実質的に電気的に絶縁されることになる。
【００１１】
直流電源１４の負極端１９には、互いに対向する一対の等長金属片２０、２１が接続されている。また、正極端１５と長金属片１７間には電気抵抗体２２が接続されている。このような構成のコンセント１３に、電気機器２３に接続されている栓刃１１、１２が差し込まれており、直流電源１４から電気機器２３へ通電状態になっている。
【００１２】
この状態では、一方の差込プラグ栓刃１１は短金属片１６ならびに長金属片１７のいずれにも接触している。また、他方の差込プラグ栓刃１２は、等長金属片２０、２１に接触している。図１に示した電気機器２３への通電状態においては、電流２４は電気抵抗２２に接続された長金属片１７にはほとんど流れず、短金属片１６を介して差込プラグ栓刃１１に流れる。
【００１３】
さて、図１に示した通電状態中に差込プラグ栓刃１１、１２が引き抜かれた状態を図２を参照して以下に説明する。差込プラグ栓刃１１、１２が引き抜かれると、先ず短金属片１６と差込プラグ栓刃１１が接触状態から離れる。この状態では差込プラグ栓刃１１と長金属片１７との接触状態は維持されている。また、負極端１９に接続されている等長金属片２０、２１と他方の差込プラグ栓刃１２の接触は維持された状態である。
【００１４】
このような図２に示した状態において正極端１５から流れる電流２５は電気抵抗体２２、長金属片１７を介して接触状態にある差込プラグ栓刃１１へ流れる。しかしながら、この電流２５は電気抵抗体２２の存在により、図１に示した電流２４より低電流となっている。図２の状態から、差込プラグ栓刃１１、１２がさらに引き抜かれ、長金属片１７ならびに等長金属片２０、２１のいずれからも離脱しても、長金属片１７を流れる直流電流は、電気抵抗体２２によって低電流となっており、アークの発生は防止することができる。
【００１５】
【発明の効果】
上述したような本発明に係わる直流電源用コンセント１３により、電気機器２３へ直流通電中に、差込プラグ栓刃１１、１２を引き抜いてもアークの発生を防止することができ、人体および電気機器２３への損傷を防ぐことが可能となった。
【図面の簡単な説明】
【図１】本発明に係わる実施形態を示す構成図であり、差込プラグ栓刃がコンセントに差し込まれている状態を示す図。
【図２】本発明に係わる実施形態を示す構成図であり、差込プラグ栓刃がコンセントから引き抜かれた状態を示す図。
【図３】従来の直流電源用コンセントの構成を示す図。
【符号の説明】
１１、１２…差込プラグ栓刃
１３…コンセント
１４…直流電源
１５…正極端
１６…短金属片
１７…長金属片
１８…絶縁体
１９…負極端
２０、２１…等長金属片
２２…電気抵抗体
２３…電気機器
２４、２５…電流
【図１】
2004158331.tif 000003
【図２】
2004158331.tif 000004
【図３】
2004158331.tif 000005